(57)【特許請求の範囲】
【請求項１】
本体ケースと、該本体ケースに回動可能に枢着した便座及び便蓋と、加熱手段に接続され噴出口を有し且つ伸縮自在な洗浄ノズルと、該洗浄ノズルの噴出口とは反対側の端部に設けた真空破壊弁と、前記洗浄ノズルを伸縮自在に枢支するガイド部材を有し、前記ガイド部材に前記洗浄ノズルの伸縮時に前記真空破壊弁の移動経路に対応する排水溝を設けたことを特徴とする人体局部洗浄装置。
【請求項２】
洗浄ノズルが、少なくとも略平行に配置された肛門洗浄ノズル及びビデ洗浄ノズルを含む複数本のノズルからなり、肛門洗浄ノズルに設けられる真空破壊弁をビデ洗浄ノズル側に、ビデ洗浄ノズルに設けられる真空破壊弁を肛門洗浄ノズル側にし、肛門洗浄ノズルとビデ洗浄ノズルの間に共用の排水溝を設けたことを特徴とする請求項１に記載の人体局部洗浄装置。
【請求項３】
排水溝が、ノズル伸縮方向に直交する断面が略Ｕ字形状に形成され、且つガイド部材に洗浄ノズル通過穴及び排水溝通過穴を有した前壁部を設置し、前記排水溝が前記排水溝通過穴を貫通し洗浄ノズル伸出側に突出するようにしたことを特徴とする請求項１又は２に記載の人体局部洗浄装置。
【発明の詳細な説明】
【０００１】
【発明の属する技術分野】
本発明は、人体局部を洗浄する際に使用する人体局部洗浄装置、特には、洗浄開始初期に洗浄ノズルから冷水が放出されることを防止するために設けた真空破壊弁から万一漏水があった際に、該漏水を装置外部に排出可能とした人体局部洗浄装置に関する。
【０００２】
【従来の技術】
衛生志向が強まっている今日において、用便後等に人体の局部を温水にて洗浄することが広く一般的に行われている。洗浄するためには、人体局部洗浄装置と呼ばれる装置を用いて、好みの温度、水勢、形態を適宜選択することにより行っている。
【０００３】
図１を用いて詳細に述べると、人体局部洗浄装置１は、本体ケース２に回動自在に便座３及び便蓋４を取付け、局部を洗浄するための洗浄ノズル５を本体ケース２に伸縮自在となるよう設けたものであり、便器６の上部に取付けて使用される。使用者は、用便後に操作スイッチ７又はリモコン（図示せず）のスイッチを押すことにより、局部に付着した汚物を前記洗浄ノズル５から噴出する温水にて洗い流し、必要に応じて温風乾燥等を行い局部洗浄を完了させる。
【０００４】
人体局部洗浄装置１を使用した後、洗浄ノズル５内に温水（局部洗浄に使用された水）が溜った状態で放置されると、前記温水は徐々に冷却されるため、次回人体局部洗浄装置１を使用した際に、使用者局部に冷水が噴出され不快感を与える恐れがある。そのため、洗浄ノズル５の上流側には通常真空破壊弁を設け、洗浄ノズル５内の温水を空気に置換することにより、冷水が局部に噴出されるのを防止している。更に、該真空破壊弁の吸気口にホースを接続し、万一にも吸気口から温水が漏れる場合には、漏水が接続してあるホースを伝わり排水されるために不用意な場所に水がかかり、機器を破損する心配もない。
【０００５】
【発明が解決しようとする課題】
しかし、前述した吸気口に設けられたホースは、急角度で曲げると、折れたり内径部がつぶれ通路面積が狭くなることにより、真空破壊弁の動作が不安定又は動作不良となる問題がある。更に、小型化を強く望まれる人体局部洗浄装置においては、洗浄ノズルの伸縮に伴って移動する吸気口に接続したホースを通すスペースを確保することが非常に困難な状況となっている。
【０００６】
本発明では、以上の点に鑑み、人体局部洗浄装置の洗浄ノズル内の温水を、洗浄ノズルの収納状態で排出するための真空破壊弁から、局部洗浄時に万一漏水しても、漏水を装置外部に排出する排水溝をガイド部材にノズル伸縮経路に沿って設けることにより、ホースを使用する場合に比べ、省スペース且つ信頼性の高い真空破壊弁を有した人体局部洗浄装置を提供することを目的とする。。
【０００７】
【課題を解決するための手段】
本発明は、本体ケースと、該本体ケースに回動可能に枢着した便座及び便蓋と、加熱手段に接続され噴出口を有し且つ伸縮自在な洗浄ノズルと、該洗浄ノズルの噴出口とは反対側の端部に設けた真空破壊弁と、前記洗浄ノズルを伸縮自在に枢支するガイド部材を有し、前記ガイド部材に前記洗浄ノズルの伸縮時に前記真空破壊弁の移動経路に対応する排水溝を設けたことを特徴とする。
【０００８】
本発明の第２は、洗浄ノズルが、少なくとも略平行に配置された肛門洗浄ノズル及びビデ洗浄ノズルを含む複数本のノズルからなり、肛門洗浄ノズルに設けられる真空破壊弁をビデ洗浄ノズル側に、ビデ洗浄ノズルに設けられる真空破壊弁を肛門洗浄ノズル側にし、肛門洗浄ノズルとビデ洗浄ノズルの間に共用の排水溝を設けたことを特徴とする。
【０００９】
本発明の第３は、排水溝が、ノズル伸縮方向に直交する断面が略Ｕ字形状に形成され、且つガイド部材に洗浄ノズル通過穴及び排水溝通過穴を有した前壁部を設置し、前記排水溝が前記排水溝通過穴を貫通し洗浄ノズル伸出側に突出するようにしたことを特徴とする。
【００１０】
【発明の実施の形態】
本発明にて用いる加熱手段は、常温水を加熱することにより、局部洗浄を行うために必要な温水にまで加温できるものであれば特に限定されるものではなく、適宜加熱可能な手段を講じることが可能である。具体的には、水経路の途中に温水タンクを設け、該タンク内にて電熱線にて加温することが好ましい。
【００１１】
洗浄ノズルは、１本でもことたりるものではあるが、好ましくは、図２に示すよう肛門洗浄ノズル８及びビデ洗浄ノズル９の２本を少なくとも有しているものが用いられる。前記２本のノズルは、設置スペース等を考慮すると本体ケース内にあっては略平行にガイド部材に枢支されていることが好ましい。
【００１２】
真空破壊弁は、洗浄ノズルの上流側、好ましくは洗浄ノズルに対して温水を流入させるための流路の取付部分近傍に設けることが好ましい。前記真空破壊弁の弁体は、球状の玉とし、玉材は、樹脂、ステンレス鋼等の耐腐食性金属又は硝子等の硬質なもの又はＮＢＲ、ＥＰＤＭ又はシリコンを材質とするゴム等の弾性体を用いることができる。また、人体局部洗浄時に前記弁体が当接するシール部は、前述した玉材と同様の材質を用いることができる。
【００１３】
排水溝は、真空破壊弁の大気連通部分の下方に設けられている。洗浄ノズルは伸縮するために、当然のことながら吸気口も移動する。そのため、排水溝は、洗浄ノズルを伸縮させるためのガイド部材の後端から先端まで設けられており、洗浄ノズルの収納位置から最大伸出位置までのどの部分においても排水を受けられるようになっている。
【００１４】
本発明に用いる前壁部は、洗浄ノズルの通過する穴及び吸気排水口から漏れた漏水を流すための排水溝を貫通されるための排水溝嵌合穴を設けたものであり、ノズル先端部をセルフクリーニング等する際に、水が不用意に散乱しないように設けてある。前述した排水溝は、前壁部に設けられた排水溝嵌合穴から突出するように設け、確実に装置外部へ排水できるようにする。
【００１５】
【実施例】
以下本発明の実施例を図面を用いて説明する。図２は、洗浄ノズル近辺の部分拡大図面であり、肛門洗浄ノズル８及びビデ洗浄ノズル９を平行となるようにガイド部材１０に取り付けてある。前記肛門洗浄ノズル８及びビデ洗浄ノズル９は、図面上、上下方向に伸縮して人体局部の洗浄を行うようになっており、その一端には、洗浄水を噴出する噴出口１１が設けられ、他端には、真空破壊弁１２が設置されている。更に、肛門洗浄ノズル８及びビデ洗浄ノズル９の間には、ガイド部材１０の長手方向に取り付けられた排水溝１３があり、該排水溝１３の上部を前記真空破壊弁１２の吸気口が通過するようになっている。
【００１６】
ガイド部材１０には、前述した排水溝１３以外にも前壁部１４が、設けられており、肛門洗浄ノズル８及びビデ洗浄ノズル９の先端部分側（噴出口１１側）からの水がそれ以上奥に入り込まないようにしてある。これは、噴出口１１近辺を噴出口１１から噴出する温水によってセルフクリーニングを行う際の洗浄水を不用意に飛散させないためである。前壁部１４には、図３に示すように、肛門洗浄ノズル通過穴１５、ビデ洗浄ノズル通過穴１６及び排水溝通過穴１７が設けられており、肛門洗浄ノズル８及びビデ洗浄ノズル９の伸縮を妨げることがなく、排水溝１３からの排水も通過させられるようになっている。
【００１７】
図２に記載したＡ−Ａ部分の断面図である図４を用いて、真空破壊弁１２について説明すると、肛門洗浄ノズル８及びビデ洗浄ノズル９に設けられた真空破壊弁１２は、弁体１８、シール部１９及び吸気口２０からなり、通常動作においては、局部洗浄時に洗浄水の水圧により弁体１８がシール部１９に押しつけられ温水が吸気口２０から漏れることはなく、局部洗浄が終了して水圧が弁体１８にかからなると、大気圧によって弁体１８がシール部１９から離れ、空気が肛門洗浄ノズル８及びビデ洗浄ノズル９に入り込み温水が空気に置換されるようになっている。
【００１８】
何らかの理由により、弁体１８とシール部１９の密着性が損なわれると、局部洗浄時に吸気口２０より温水が漏れることとなるが、吸気口２０の下方には排水溝１３が設けられているためのに、漏れた温水は前記排水溝１３を通り、前壁部１４を通過して、装置外に排出されることとなる。
【００１９】
【発明の効果】
本発明は、万一真空破壊弁から漏水しても、ガイド部材に設けた排水溝を通り装置外部に排出されるため漏電などの危険がない。また、排水溝を真空破壊弁の移動経路に対応して設けたために洗浄ノズルがどのような位置にあっても確実に漏れた温水を装置外部に排出することができる。複数の洗浄ノズルを有する人体局部洗浄装置であっても、排水溝を共通化させることにより部品点数の増加を抑えることができ、コストアップを最小限に留めることが可能である。そして、排水溝を前壁部から突出させることにより、確実に装置外部に排出することが可能となる。
【図面の簡単な説明】
【図１】従来技術の人体局部洗浄装置を示す斜視図である。
【図２】本発明の実施例を示す洗浄ノズル近辺の部分拡大図である。
【図３】本発明に用いる前壁部の平面図である。
【図４】図２に示すＡ−Ａ部分の断面図である。
【符号の説明】
１．人体局部洗浄装置  ２．本体ケース  ３．便座  ４．便蓋  ５．洗浄ノズル６．便器  ７．操作スイッチ  ８．肛門洗浄ノズル  ９．ビデ洗浄ノズル  １０．ガイド部材  １１．噴出口  １２．真空破壊弁  １３．排水溝  １４．前壁部  １５．肛門洗浄ノズル通過穴  １６．ビデ洗浄ノズル通過穴  １７．排水溝通過穴  １８．弁体  １９．シール部  ２０．吸気口
【図１】
0003666620.tif 000002
【図２】
0003666620.tif 000003
【図３】
0003666620.tif 000004
【図４】
0003666620.tif 000005